(57)【要約】【課題】利用者が意識することなく、複雑な操作無しに、自動的に好みの楽曲データ群を連続再生する。【解決手段】楽曲データ２３を記憶した記憶装置２０と、利用者の生体情報を検出して取得し、その直後に再生された楽曲データ２３の属性データとして保存する生体情報取得手段１３と、操作キー３３により選択された楽曲データの再生時刻情報を取得し、その直後に再生された楽曲データ２３の属性データとして保存する再生時刻情報取得手段１４と、再生時刻情報２７が近接しかつ生体情報２６が近似する楽曲データ２３をグループ化して、楽曲データ群を得るグループ化手段１６と、自動選曲開始時に、生体情報取得手段１３により取得した生体情報といずれかの楽曲データ群の生体情報とを比較して、両者が近似するものを選択する選曲制御手段１５と、選択された楽曲データを順次再生する再生手段１２とを備える。【選択図】図１
2007132976.tif 000002
【特許請求の範囲】
【請求項１】
再生の対象とされる楽曲データを記憶した記憶装置と、
利用者の生体情報を検出して取得し、その直後に再生された前記楽曲データの属性データとして、当該生体情報を保存する生体情報取得手段と、
操作キーにより選択された前記楽曲データの再生時刻情報を取得し、その直後に再生された前記楽曲データの属性データとして、当該再生時刻情報を保存する再生時刻情報取得手段と、
前記再生時刻情報が近接し、かつ、前記生体情報が近似する楽曲データをグループ化して、楽曲データ群を得るグループ化手段と、
自動選曲開始時に、前記生体情報取得手段により取得した生体情報と前記いずれかの楽曲データ群の生体情報とを比較して、両者が近似する楽曲データ群を選択する選曲制御手段と、
選択された楽曲データ群に含まれる楽曲データを順次再生する再生手段とを備えたことを特徴とする楽曲再生装置。
【請求項２】
請求項１に記載の楽曲再生装置において、
前記生体情報取得手段は、前記再生手段により駆動されるイヤホンに取り付けられたセンサから、前記生体情報を取得することを特徴とする楽曲再生装置。
【請求項３】
請求項２に記載の楽曲再生装置において、
前記イヤホンには、人体に接して生体情報を取得する脈拍センサと体温センサが一体化されていることを特徴とする楽曲再生装置。
【請求項４】
請求項１に記載の楽曲再生装置において、
前記生体情報取得手段は、ヘッドホンのバンドに取り付けられたセンサから、前記生体情報を取得することを特徴とする楽曲再生装置。
【請求項５】
請求項１乃至４のいずれかに記載の楽曲再生装置において、
前記グループ化手段は、前記楽曲データの再生テンポを基準値と比較して、テンポが近似する楽曲データをグループ化して、楽曲データ群を得ることを特徴とする楽曲再生装置。
【請求項６】
請求項１乃至４のいずれかに記載の楽曲再生装置において、
前記選択制御手段は、順に自動再生した楽曲データの同一楽曲データ群内での再生優先順位を再生を終了するたびに最下位にすることを特徴とする楽曲再生装置。
【請求項７】
コンピュータを、
再生の対象とされる楽曲データを記憶した記憶装置と、
利用者の生体情報を検出して取得し、その直後に再生された前記楽曲データの属性データとして、当該生体情報を保存する生体情報取得手段と、
操作キーにより選択された前記楽曲データの再生時刻情報を取得し、その直後に再生された前記楽曲データの属性データとして、当該再生時刻情報を保存する再生時刻情報取得手段と、
前記再生時刻情報が近接し、かつ、前記生体情報が近似する楽曲データをグループ化して、楽曲データ群を得るグループ化手段と、
自動選曲開始時に、前記生体情報取得手段により取得した生体情報と前記いずれかの楽曲データ群の生体情報とを比較して、両者が近似する楽曲データ群を選択する選曲制御手段と、
選択された楽曲データ群に含まれる楽曲データを順次再生する再生手段
として機能させる楽曲再生プログラム。
【請求項８】
コンピュータを、
再生の対象とされる楽曲データを記憶した記憶装置と、
利用者の生体情報を検出して取得し、その直後に再生された前記楽曲データの属性データとして、当該生体情報を保存する生体情報取得手段と、
操作キーにより選択された前記楽曲データの再生時刻情報を取得し、その直後に再生された前記楽曲データの属性データとして、当該再生時刻情報を保存する再生時刻情報取得手段と、
前記再生時刻情報が近接し、かつ、前記生体情報が近似する楽曲データをグループ化して、楽曲データ群を得るグループ化手段と、
自動選曲開始時に、前記生体情報取得手段により取得した生体情報と前記いずれかの楽曲データ群の生体情報とを比較して、両者が近似する楽曲データ群を選択する選曲制御手段と、
選択された楽曲データ群に含まれる楽曲データを順次再生する再生手段
として機能させる楽曲再生プログラムを記録したコンピュータで読み取り可能な記録媒体。
【請求項９】
記憶装置が、再生の対象とされる楽曲データを記憶するステップと、
生体情報取得手段が、利用者の生体情報を検出して取得し、その直後に再生された前記楽曲データの属性データとして、当該生体情報を保存するステップと、
再生時刻情報取得手段が、操作キーにより選択された前記楽曲データの再生時刻情報を取得し、その直後に再生された前記楽曲データの属性データとして、当該再生時刻情報を保存するステップと、
グループ化手段が、前記再生時刻情報が近接し、かつ、前記生体情報が近似する楽曲データをグループ化して、楽曲データ群を得るステップと、
選曲制御手段が、自動選曲開始時に、前記生体情報取得手段により取得した生体情報と前記いずれかの楽曲データ群の生体情報とを比較して、両者が近似する楽曲データ群を選択するステップと、
再生手段が、選択された楽曲データ群に含まれる楽曲データを順次再生するステップとを含む楽曲再生方法。
【発明の詳細な説明】
【技術分野】
【０００１】
本発明は、記憶装置に記憶された楽曲を利用者の生体情報に基づいて自動選曲して再生する、楽曲再生装置と楽曲再生装置用プログラムと記録媒体と楽曲再生方法に関する。
【背景技術】
【０００２】
大容量半導体メモリやハードディスクを搭載したオーディオプレーヤーで、曲をランダムに選曲して自動再生する機能を持つものがある。この機能は、普段聴かない曲を再生し、偏った曲ばかりを再生しないようにして、利用者を飽きさせない利点を有する。さらに、利用者の生体情報を取得して、利用者の感情状態や体調にあわせた自動選曲機能を付与する技術も開発されている（特許文献１）。
【特許文献１】特開２００５−５６２０５号公報
【発明の開示】
【発明が解決しようとする課題】
【０００３】
ここで、従来の技術には、次のような解決すべき課題があった。
既知のランダム自動選曲システムや利用者の生体情報を取得する自動選曲システムは、必ずしも利用者の意思を直接反映するとは限らない。利用者の気持ちとそのときに再生されるべき楽曲データとの関係は複雑であり、それに応えるとともに、利用者の好みも反映させることが望ましい。本発明は以上の点に着目してなされたもので、利用者が意識することなく、複雑な操作無しに、自動的に好みの楽曲データ群を連続再生できる楽曲再生装置と楽曲再生装置用プログラムと記録媒体と楽曲再生方法を提供することを目的とする。
【課題を解決するための手段】
【０００４】
本発明の各実施例においては、それぞれ次のような構成により上記の課題を解決する。
〈構成１〉  再生の対象とされる楽曲データを記憶した記憶装置と、利用者の生体情報を検出して取得し、その直後に再生された上記楽曲データの属性データとして、当該生体情報を保存する生体情報取得手段と、操作キーにより選択された上記楽曲データの再生時刻情報を取得し、その直後に再生された上記楽曲データの属性データとして、当該再生時刻情報を保存する再生時刻情報取得手段と、上記再生時刻情報が近接し、かつ、上記生体情報が近似する楽曲データをグループ化して、楽曲データ群を得るグループ化手段と、自動選曲開始時に、上記生体情報取得手段により取得した生体情報と上記いずれかの楽曲データ群の生体情報とを比較して、両者が近似する楽曲データ群を選択する選曲制御手段と、選択された楽曲データ群に含まれる楽曲データを順次再生する再生手段とを備えたことを特徴とする楽曲再生装置。
【０００５】
利用者の生体情報を自動選曲のために利用するので、利用者の体調や気分にマッチした曲が自動的に選曲されて再生される。また、過去の再生時刻を比較してこれらが近接している楽曲データは、利用者が好んでまとめて再生したものである。その楽曲データ群をその再生時の生体情報と関係付けておく。これにより、生体情報に応じた、利用者の趣向に合った楽曲データ群が自動的に選択されて連続再生される。
【０００６】
〈構成２〉  構成１に記載の楽曲再生装置において、上記生体情報取得手段は、上記再生手段により駆動されるイヤホンに取り付けられたセンサから、上記生体情報を取得することを特徴とする楽曲再生装置。
【０００７】
利用者から生体情報を取得するセンサは、利用者の肌に触れることが好ましい。イヤホンは、楽曲再生装置を使用中に利用者の肌に直接触れた状態を継続できる。しかも、利用者が特別意識をする必要がない。
【０００８】
〈構成３〉  構成２に記載の楽曲再生装置において、上記イヤホンには、人体に接して生体情報を取得する脈拍センサと体温センサが一体化されていることを特徴とする楽曲再生装置。
【０００９】
イヤホンに脈拍センサと体温センサが一体化されていれば、生体情報をイヤホンから一括して取得できる。
【００１０】
〈構成４〉  構成１に記載の楽曲再生装置において、上記生体情報取得手段は、ヘッドホンのバンドに取り付けられたセンサから、上記生体情報を取得することを特徴とする楽曲再生装置。
【００１１】
ヘッドホンのバンドに振動や音響を検出するセンサを取り付ければ、人体のこめかみの部分で脈拍を検出することができる。
【００１２】
〈構成５〉  構成１乃至４のいずれかに記載の楽曲再生装置において、上記グループ化手段は、上記楽曲データの再生テンポを基準値と比較して、テンポが近似する楽曲データをグループ化して、楽曲データ群を得ることを特徴とする楽曲再生装置。
【００１３】
生体情報と楽曲の演奏テンポとは密接な関係があるから、テンポを基準に楽曲データをグループ化して、利用者の気分に適した楽曲の自動選曲を可能にする。
【００１４】
〈構成６〉  構成１乃至４のいずれかに記載の楽曲再生装置において、上記選択制御手段は、順に自動再生した楽曲データの同一楽曲データ群内での再生優先順位を再生を終了するたびに最下位にすることを特徴とする楽曲再生装置。
【００１５】
ある楽曲データ群が選択されて、常に同じ曲から再生されると最後のほうの曲を聴く機会が少なくなる。そこで、一度聴いた曲の再生優先順位を下げて、楽曲データ群に含まれる各楽曲データの再生の機会を均等化した。
【００１６】
〈構成７〉  コンピュータを、再生の対象とされる楽曲データを記憶した記憶装置と、利用者の生体情報を検出して取得し、その直後に再生された上記楽曲データの属性データとして、当該生体情報を保存する生体情報取得手段と、操作キーにより選択された上記楽曲データの再生時刻情報を取得し、その直後に再生された上記楽曲データの属性データとして、当該再生時刻情報を保存する再生時刻情報取得手段と、上記再生時刻情報が近接し、かつ、上記生体情報が近似する楽曲データをグループ化して、楽曲データ群を得るグループ化手段と、自動選曲開始時に、上記生体情報取得手段により取得した生体情報と上記いずれかの楽曲データ群の生体情報とを比較して、両者が近似する楽曲データ群を選択する選曲制御手段と、選択された楽曲データ群に含まれる楽曲データを順次再生する再生手段として機能させる楽曲再生プログラム。
【００１７】
〈構成８〉  コンピュータを、再生の対象とされる楽曲データを記憶した記憶装置と、利用者の生体情報を検出して取得し、その直後に再生された上記楽曲データの属性データとして、当該生体情報を保存する生体情報取得手段と、操作キーにより選択された上記楽曲データの再生時刻情報を取得し、その直後に再生された上記楽曲データの属性データとして、当該再生時刻情報を保存する再生時刻情報取得手段と、上記再生時刻情報が近接し、かつ、上記生体情報が近似する楽曲データをグループ化して、楽曲データ群を得るグループ化手段と、自動選曲開始時に、上記生体情報取得手段により取得した生体情報と上記いずれかの楽曲データ群の生体情報とを比較して、両者が近似する楽曲データ群を選択する選曲制御手段と、選択された楽曲データ群に含まれる楽曲データを順次再生する再生手段として機能させる楽曲再生プログラムを記録したコンピュータで読み取り可能な記録媒体。
【００１８】
〈構成９〉  記憶装置が、再生の対象とされる楽曲データを記憶するステップと、生体情報取得手段が、利用者の生体情報を検出して取得し、その直後に再生された上記楽曲データの属性データとして、当該生体情報を保存するステップと、再生時刻情報取得手段が、操作キーにより選択された上記楽曲データの再生時刻情報を取得し、その直後に再生された上記楽曲データの属性データとして、当該再生時刻情報を保存するステップと、グループ化手段が、上記再生時刻情報が近接し、かつ、上記生体情報が近似する楽曲データをグループ化して、楽曲データ群を得るステップと、選曲制御手段が、自動選曲開始時に、上記生体情報取得手段により取得した生体情報と上記いずれかの楽曲データ群の生体情報とを比較して、両者が近似する楽曲データ群を選択するステップと、再生手段が、選択された楽曲データ群に含まれる楽曲データを順次再生するステップとを含む楽曲再生方法。
【発明を実施するための最良の形態】
【００１９】
本発明では、楽曲再生装置が生体情報取得手段を備える。これにより取得した生体情報と近似する生体情報を属性データに持つ楽曲データ群が、自動再生の対象になる。以下、本発明の実施の形態を詳細に説明する。
【００２０】
図１は、実施例の楽曲再生装置を示すブロック図である。
この楽曲再生装置は、演算処理装置１０と記憶装置２０とを備える。演算処理装置１０は、メモリ管理手段１１、再生手段１２、生体情報取得手段１３、再生時刻情報取得手段１４、選曲制御手段１５、グループ化手段１６を備える。これらの手段は、いずれも楽曲再生装置に内蔵されたコンピュータに一定の機能を付与するコンピュータプログラムからなる。記憶装置２０には、選曲操作画面２１、曲目リスト２２、及び、楽曲データ２３が記憶されている。選曲操作画面２１は、利用者が自分の意思で再生したい楽曲データを選択する時、表示される画面表示用のデータである。曲目リスト２２は、楽曲データ２３の曲名を選曲操作画面２１上で一覧できるようにリストアップしたデータである。
【００２１】
楽曲データ２３には、実際に曲を演奏するための音源データの他に、図示のような属性データが含まれている。属性データは、この例では、曲名２４、曲情報２５、生体情報２６、再生時刻情報２７などを含む。これ以外の属性データはこの発明に関係がないので、図示を省略した。曲情報２５は、曲名２４以外の情報であって、例えば、演奏者や作曲者等を示す情報である。この他に、この楽曲再生装置には、音響回路３０、操作キー３３、時計回路３４、ディスプレイ３５、及び、ＵＳＢ端子３６が設けられている。
【００２２】
音響回路３０は、再生手段１２によって制御され、スピーカ３１を駆動して楽曲データを再生する。また、コネクタ３２を通じてイヤホン３７を駆動する。なお、この実施例では、イヤホン３７に脈拍や体温などを検出するセンサが設けられ、ここから生体情報が取得される。操作キー３３は、楽曲再生装置本体を制御するキーで、利用者が選曲や再生開始指示の入力等のために操作する。時計回路３４は、楽曲データの再生を開始し、あるいは、再生を終了した時に、時刻データを再生時刻情報取得手段１４に渡すために設けられている。一般には、コンピュータに設けられたソフトウエアタイマが利用されるが、ハードウエアで構成しても構わない。ディスプレイ３５は、選曲操作画面２１等を表示するために利用される。ＵＳＢ端子３６は、図示しないパーソナルコンピュータなどにケーブルを介して接続され、楽曲データ２３を取り込むために利用される。
【００２３】
演算処理装置１０のメモリ管理手段１１は、記憶装置２０に対し楽曲データ２３を読み書きする制御を行う機能を持つ。再生手段１２は、楽曲データ２３が選択された時、これを読み込んで音響回路３０を駆動し、再生制御をする機能を持つ。生体情報取得手段１３は、イヤホン３７からコネクタ３２を通じて生体情報を取得する機能を持つ。なお、この生体情報は、楽曲データ２３の属性データに追加される。再生時刻情報取得手段１４は、時計回路３４を利用して、楽曲データの再生開始時刻や再生終了時刻を取得して、再生時刻情報２７を生成し、楽曲データ２３の属性データに含める機能を持つ。
【００２４】
選曲制御手段１５は、選曲操作画面２１に表示された曲目リスト２２から演奏すべき曲目を選択し、これを再生手段１２に渡す機能を持つ。利用者が操作キー３３を操作して選曲をした場合には操作キー３３の選択指示入力に従い、自動選曲の場合は操作キー３３の再生指示入力に従って起動する。なお、自動選曲制御の場合には、グループ化手段１６がグループ化した楽曲データ群のうち、再生に適するものを再生手段１２に伝える機能を持つ。グループ化手段１６は、再生時刻情報が接近し、かつ生体情報が近似する楽曲データをグループ化する機能を持つ。自動再生時には、生体情報取得手段１３が取得した生体情報と、その生体情報が近似するグループ化された楽曲データ群が、選曲制御手段１５により選択されて再生の対象とされる。再生手段１２は、楽曲データ群が選択されると、その楽曲データ群に含まれる各楽曲データを順次再生する機能を持つ。
【００２５】
図２は、イヤホンの構造の説明図である。
図１に示したイヤホン３７には、この図２に示すように、中央に再生振動体６１が配置されている。これは、音響回路３０（図１）から出力される音響信号により駆動されて振動し、電気信号を音に変換する素子である。また、その周囲には、脈拍センサ６２と体温センサ６３とが配置されている。これらは、イヤホン３７に対して再生振動体６１と一体に組み込まれている。なお、イヤホンを耳に掛けるための各種の構造が知られており、そのどの部分にセンサを取り付けても構わない。脈拍センサ６２は、耳の孔に接して鼓動による音響振動や圧力振動を検出する素子である。また、体温センサ６３も同様に、耳の孔に接して体温を検出する素子である。脈拍センサ６２と体温センサ６３の出力信号を生体情報取得手段１３（図１）に伝送するリード線は、再生振動体６１に音響回路３０から信号を供給するためのケーブル６４に一体化される。なお、図２の一点鎖線の円Ｘ内に示したのは、変形例で、ヘッドホン６６のバンド６７に、脈拍センサ６２を取り付けている。脈拍センサ６２が丁度こめかみのところに位置するように固定するとよい。
【００２６】
図３は、イヤホン３７と楽曲再生装置４０との接続関係を示すブロック図である。
図に示すように、音響回路３０は、再生手段１２により制御され、音響信号を再生振動体６１に送出する。一方、脈拍センサ６２と体温センサ６３の出力信号は、楽曲再生装置４０の生体情報取得手段１３に送出される。なお、再生手段１２が音響回路３０を駆動している時には、脈拍センサ６２等には再生振動体６１による雑音が飛び込みやすい。そこで、この実施例では、再生振動体６１が動作していない、すなわち、楽曲データの再生直前の空き時間に脈拍センサ６２と体温センサ６３の出力を生体情報取得手段１３が取り込む構造とした。
【００２７】
図４は、楽曲再生装置の外観を示す正面図である。
図示の楽曲再生装置４０は、正面にディスプレイ３５を備え、下側の中央に操作キー３３を備えている。この操作キー３３は、楽曲の選曲や、演奏開始指示の入力に使用される。楽曲再生装置４０の側面には、コネクタ３２が設けられており、イヤホン３７を着脱接続できる。このような楽曲再生装置で各種のキーを操作することによって、内部のハードディスクなどの記憶装置に記憶された楽曲データを選択し、テープレコーダのように再生させることができる。
【００２８】
図５は、楽曲再生装置のハードウエアブロック図である。
図に示すように、楽曲再生装置４０の内部には、ＣＰＵ（中央処理装置）４１、ＲＯＭ（リードオンリメモリ）４２、ＲＡＭ（ランダムアクセスメモリ）４３、ＨＤＤ（ハードディスク）４４、及び、入出力インタフェース４５が設けられている。入出力インタフェース４５には、ディスプレイ（ＤＩＳＰ）３５、操作キー（ＫＥＹ）３３、ＡＭＰ（増幅器）３９が接続されている。ＡＭＰ３９は、既に説明した音響回路３０の部品である。スピーカ（ＳＰ）３１やコネクタ（ＣＯＮＮ）３２の機能については既に説明した通りである。この楽曲再生装置は、ＲＯＭ４２に記憶された動作プログラムに従って、ＣＰＵ４１が楽曲データを読み出して再生制御を行う。一方、ＲＡＭ４３に記憶された様々な情報に従って楽曲を選択する。ＨＤＤ４４は、図１に示した記憶装置２０に相当し、楽曲データ等が記憶される。
【００２９】
図６は、楽曲再生装置の動作例説明図である。
上記の楽曲再生装置は、例えば、この図に示すようにして、各楽曲データの属性データを更新する。この動作は、利用者が自分の意思で選曲操作をしているときに、バックグラウンドで実行される。図１に示した選曲制御手段１５は、ディスプレイ３５に対し選曲操作画面２１を表示し、そこに曲目リスト２２を含める。時刻ｔ１に曲目リストが表示されると、利用者は、楽曲データを選択するために画面のスクロール等を開始する。続く時刻ｔ２に生体情報取得手段１３は、図３で説明したようにして、イヤホン３７から生体情報を取得する。その後の時刻ｔ３で、利用者の操作キー３３の操作による曲選択情報が入力する。ここで再生手段１２が動作し、時刻ｔ４から楽曲データの再生が開始される。
【００３０】
再生時刻情報取得手段１４は、この時刻ｔ４で再生開始時刻を記録する。その後再生が終了すると、時刻ｔ５で、再生終了時刻を記録する。再生開始時刻と再生終了時刻を対にして再生時刻情報が生成される。通常、利用者は連続して何曲も再生を指示する。時刻ｔ６で次の曲の再生開始時刻を記録する。その後は再生開始時刻と再生終了時刻の記録を繰り返す。時刻ｔ５と時刻ｔ６との間の時間差が小さければ、その前後の楽曲データは連続再生されたと判断する。利用者が連続再生を指示したときは、時刻ｔ２で取得した利用者の生体情報と、連続して再生された楽曲データ群とを対応付けて記憶装置に記憶させる。
【００３１】
図７は、生体情報と楽曲データ群との関係を示す説明図である。
自動再生を行う場合、イヤホン３７（図１）から利用者の生体情報を取得する。これによって利用者がどのような楽曲データの再生を希望するか予測する。楽曲データ２３の属性データに含まれる生体情報２６が、その時取得された生体情報と近似していれば、その楽曲データが再生に適すると判断できる。なお、近似しているかどうかは、例えば、脈拍とか体温の数値を一定の範囲に区切り、範囲ごとにそれぞれ近似範囲というように、設定をしておけばよい。一方、再生時刻情報２７は、次のように取り扱う。図６を用いて説明したように、ある生体情報が取得された後、何曲かの楽曲データが再生されると、これらの楽曲データの再生開始時刻と再生終了時刻とは、それぞれほぼ連続するように近接している。連続しているように近接したものかどうかの判断は、直前の曲の再生終了時刻と直後の曲の再生開始時刻との差が、例えば、一定の閾値以下であるかどうかという判断をすればよい。ほぼ連続して再生された楽曲データを一つのグループにまとめる。これによって、ある生体情報が取得された時、まとめて再生された楽曲データ群がそれぞれグループ化できる。このような楽曲データ群の単位で、自動選曲をする。これによって、単に生体情報が近似している、というだけで選曲をする場合に比べて、利用者の好みに応じた、まとまった楽曲データの選曲が可能になる。また、多数の楽曲データが記憶装置２０に記憶されている時に、これらを適当な単位でグループ化して、取り扱うのに便利である。従って、この再生時刻情報２７は、ほぼ連続して再生されたかどうかという点を基準にして閾値を設定するとよい。
【００３２】
例えば、図のように、生体情報が３種類あって、楽曲データ群も３種類に分類されているとする。楽曲データ群は、例えば、利用者が連続演奏をしたグループ５１〜５３と、曲のテンポを基準に、「遅い」「中」「早い」の３種類に分類したグループ５４〜５６とが例示されている。同じ生体情報の場合に２以上の楽曲データ群があれば、そのいずれか一方を自動的に選択するとよい。なお、例えば、生体情報に対応して、テンポの遅い楽曲データ群５６が選択されたとき、図のように、その楽曲データ群５６に含まれる楽曲ｍ１、ｍ２、ｍ３、・・・が順に再生される。ここで、例えば、楽曲ｍ１の再生が終了すると、その楽曲データ群５６の中で、楽曲ｍ１の再生優先順位を最低に変更するとよい。そうすれば、楽曲データ群５６の楽曲ｍ３の再生途中で、再生処理が中断すると、その後楽曲データ群５６が選択されたときは、楽曲ｍ３から再生が開始される。同一楽曲データ群内での再生優先順位を、再生を終了するたびに最下位にすると、同じ楽曲データ群５６が選択されたときに、いつも同じ曲からスタートするのを防止できる。
【００３３】
図８は、楽曲データの属性データ収集処理のフローチャートである。
以下、上記の楽曲再生装置を制御するためのコンピュータプログラムの実施例について説明する。まず、ステップＳ１１で、楽曲再生装置が起動される。ステップＳ１２で、ディスプレイに曲目リストを自動的に表示する。ステップＳ１３では、再生中かどうかという判断をする。いずれかの楽曲データの再生中であれば、生体情報の取得はせずにステップＳ１２に戻って待機する。再生状態でない場合には、ステップＳ１４に進み、生体情報を取得する。次に、ステップＳ１５で、曲選択情報が入力されたかどうかを判断する。ここは曲選択情報の入力待ち状態とし、入力があればステップＳ１６に進む。
【００３４】
この図８に示した例では、曲選択情報の入力が無いときにはステップＳ１２に戻る。楽曲データが再生されたとき、その直前の生体情報を取得するために、ステップＳ１２からステップＳ１５の処理を繰り返す。ステップＳ１６では、選択された楽曲データを読み取り、ステップＳ１７で再生開始かどうかの判断をする。楽曲の選択と再生開始とを一操作で行う機器については、ステップＳ１７を省略してよい。
【００３５】
楽曲データの再生が開始されると、ステップＳ１８で、再生開始時刻を取得し、再生を始める。ステップＳ１９では、再生が中断されたかどうかの判断をする。再生が中断された場合には、この楽曲データについては、属性データを生成せずにステップＳ１２に戻る。また、再生が継続された場合にはステップＳ２０へ進み、再生が終了した時、その終了処理を実行する。ステップＳ２１では、終了時刻の取得をする。次に、ステップＳ２２で、取得されたデータから楽曲データの属性データを生成する。すなわち、生体情報と再生開始時刻再生終了時刻などを現在再生された楽曲データの属性データに含める。ステップＳ２３では、該当する楽曲データの属性データ更新をする。その後、ステップＳ１２に戻る。以上のようにして、再生の度に各楽曲データに対し、生体情報と再生時刻情報とが属性データとして含められていく。
【００３６】
図９は、自動再生処理動作フローチャートである。
このフローチャートは、上記の生体情報を利用した自動選曲と再生動作の例である。まず、ステップＳ３１において、利用者が自動選曲指示を入力すると、ステップＳ３２で、非再生状態かどうかの判断をする。非再生状態であれば、ステップＳ３３に進み、生体情報の取得をする。それ以外の場合には、生体情報の取得ができないから、自動選曲は行わないで待機する。ステップＳ３４では、生体情報に近似する楽曲データの検索をする。ステップＳ３５では、再生開始時刻と終了時刻の読み取りを行い、ステップＳ３６で、再生時刻の接近した楽曲データのグループ化処理をする。そして、ステップＳ３７で、再生時刻が接近し、かつ、生体情報の近似した１グループを選択する。複数グループある場合に、１グループの選択に対しては、例えば、自動的にランダムに選曲する方法、あるいは、利用者にいずれかを選択させる方法などがある。いずれを採用しても構わない。ステップＳ３８では、再生命令を発生し、そのグループに属する楽曲データの再生を開始する。ステップＳ３９では、楽曲データを順次読み取って再生を始める。以上のようにして、生体情報が近似した１グループの楽曲データを自動演奏することができる。なお、この例では、自動再生指示が入力した後に、楽曲データをグループ化するようにしたが、予めグループ化して、所定のグループ識別情報を属性データに付加しておくのもよい。また、上記の実施例では、生体情報をイヤホンから取得する例を用いて説明した。しかしながら、本発明はこれに限定されない。例えば、リストバンド、ブレスレット、靴、帽子、イヤリング、眼鏡等の、身体に接触する様々な装身具を利用して、生体情報を取得して利用することができる。
【００３７】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００３８】
【図１】実施例の楽曲再生装置を示すブロック図。
【図２】イヤホンの構造の説明図。
【図３】イヤホンと楽曲再生装置との接続関係を示すブロック図。
【図４】楽曲再生装置の外観を示す正面図。
【図５】楽曲再生装置のハードウエアブロック図。
【図６】楽曲再生装置の動作例説明図。
【図７】生体情報と楽曲データ群との関係を示す説明図。
【図８】楽曲データの属性データ収集処理のフローチャート。
【図９】自動再生処理動作フローチャート。
【符号の説明】
【００３９】
１０  演算処理装置、２０  記憶装置、１１  メモリ管理手段、１２  再生手段、１３  生体情報取得手段、１４  再生時刻情報取得手段、１５  選曲制御手段、１６  グループ化手段、２１  選曲操作画面、２２  曲目リスト、２３  楽曲データ、２４  曲名、２５  曲情報、２６  生体情報、２７  再生時刻情報、３０  音響回路、３３  操作キー、３４  時計回路、３５  ディスプレイ、３６  ＵＳＢ端子、３１  スピーカ、３２  コネクタ、３７  イヤホン
【図１】
2007132976.tif 000003
【図２】
2007132976.tif 000004
【図３】
2007132976.tif 000005
【図４】
2007132976.tif 000006
【図５】
2007132976.tif 000007
【図６】
2007132976.tif 000008
【図７】
2007132976.tif 000009
【図８】
2007132976.tif 000010
【図９】
2007132976.tif 000011